(57)【要約】【課題】照明制御装置による一括管理を有効にしたまま、各照明装置の調光率を容易に変更できるようにする。【解決手段】調光信号入力部１１３は、調光率を指示する調光信号を入力する。最大調光率入力部１１４は、最大調光率（調光率の最大値）を入力する。調光率変換部１１５は、調光信号入力部１１３が入力した調光信号が指示する調光率と、最大調光率入力部１１４が入力した最大調光率とに基づいて、変換後調光率を算出する。変換後調光信号生成部１１６は、調光率変換部１１５が算出した変換後調光率を調光率として指示する調光信号を生成する。【選択図】図２
2012094277.tif 000002
【特許請求の範囲】
【請求項１】
調光率を指示する調光信号を入力する調光信号入力部と、
上記調光率の最大値を入力する最大調光率入力部と、
上記調光信号入力部が入力した調光信号が指示する調光率と、上記最大調光率入力部が入力した最大値とに基づいて、変換後調光率を算出する調光率変換部と、
上記調光率変換部が算出した変換後調光率を調光率として指示する調光信号を生成する変換後調光信号生成部とを有することを特徴とする変換装置。
【請求項２】
上記調光率変換部は、上記調光信号入力部が入力した調光信号が指示する調光率と、上記最大調光率入力部が入力した調光率の最大値とのうち、小さいほうを上記変換後調光率とすることを特徴とする請求項１に記載の変換装置。
【請求項３】
上記調光率変換部は、上記調光信号入力部が入力した調光信号が指示する調光率と、上記最大調光率入力部が入力した調光率の最大値との積を上記変換後調光率とすることを特徴とする請求項１または請求項２に記載の変換装置。
【請求項４】
請求項１乃至請求項３のいずれかに記載の変換装置と、
上記変換装置が生成した調光信号が指示する調光率にしたがって光源を点灯する点灯装置とを有することを特徴とする照明装置。
【請求項５】
調光率を指示する調光信号を生成する照明制御装置と、
上記照明制御装置が生成した調光信号を入力して調光信号を生成する請求項１乃至請求項３のいずれかに記載の変換装置と、
上記変換装置が生成した調光信号が指示する調光率にしたがって光源を点灯する点灯装置とを有することを特徴とする照明システム。
【発明の詳細な説明】
【技術分野】
【０００１】
この発明は、調光信号により指示された調光率にしたがって光源を点灯する照明装置を制御する照明システムに関する。
【背景技術】
【０００２】
調光率を指示する調光信号を入力し、入力した調光信号にしたがった調光率で光源を点灯する照明装置がある。
複数の照明装置と、各照明装置に対して調光率を指示する調光信号を生成する照明制御装置（照明コントローラ）を備える照明システムがある。
【先行技術文献】
【特許文献】
【０００３】
【特許文献１】特開２０００−２８６０６６号公報
【発明の概要】
【発明が解決しようとする課題】
【０００４】
上記のような照明システムは、各照明装置の調光率を照明制御装置で一括して管理している。複数の照明装置のなかの一つだけを、他の照明装置と違う調光率にしたい場合などには、照明制御装置の設定を変える必要がある。
この発明は、例えば上記のような課題を解決するためになされたものであり、照明制御装置による一括管理を有効にしたまま、各照明装置の調光率を容易に変更できるようにすることを目的とする。
【課題を解決するための手段】
【０００５】
この発明にかかる変換装置は、調光率を指示する調光信号を入力する調光信号入力部と、上記調光率の最大値を入力する最大調光率入力部と、上記調光信号入力部が入力した調光信号が指示する調光率と、上記最大調光率入力部が入力した最大値とに基づいて、変換後調光率を算出する調光率変換部と、上記調光率変換部が算出した変換後調光率を調光率として指示する調光信号を生成する変換後調光信号生成部とを有することを特徴とする。
【発明の効果】
【０００６】
この発明にかかる変換装置によれば、照明制御装置による一括管理を有効にしたまま、各照明装置の調光率を容易に変更することができる。
【図面の簡単な説明】
【０００７】
【図１】実施の形態１における照明制御システム８００を示すブロック図。
【図２】実施の形態１における制御部１１０の構成を示すブロック図。
【図３】実施の形態１における照明制御システム８００の調光動作の一例を示すシーケンス図。
【図４】実施の形態１における調光率変換部１１５が変換する調光率の一例を示す図。
【図５】実施の形態２における調光率変換部１１５が変換する調光率の一例を示す図。
【図６】実施の形態３における照明制御システム８００を示すブロック図。
【図７】実施の形態３における照明制御システム８００の調光動作の一例を示すシーケンス図。
【図８】実施の形態３における調光率変換部１１５が変換する調光率の一例を示す図。
【図９】実施の形態４における調光率変換部１１５が変換する調光率の一例を示す図。
【図１０】実施の形態５における調光率変換部１１５が変換する調光率の一例を示す図。
【図１１】実施の形態６における照明制御システム８００を示すブロック図。
【図１２】実施の形態６における調光率変換部１１５が変換する調光率の一例を示す図。
【発明を実施するための形態】
【０００８】
実施の形態１．
実施の形態１について、図１〜図４を用いて説明する。
【０００９】
図１は、この実施の形態における照明制御システム８００を示すブロック図である。
照明制御システム８００は、コントローラ８０１と、複数の照明器具１００を有する照明システムである。なお、符号の後ろにアルファベットを付加して、複数の同じ要素を区別する場合がある。
照明器具１００の数は、例えば６である。なお、照明器具１００の数は、５以下であってもよいし、７以上であってもよい。
コントローラ８０１と照明器具１００とは、有線の通信線で接続されている。
【００１０】
コントローラ８０１は、複数の照明器具１００に対して、調光率を指示する照明制御装置である。コントローラ８０１は、商用電源などの電源８０８から供給される電力で動作する。コントローラ８０１は、複数の照明器具１００の点滅・調光状態を制御する。コントローラ８０１は、指示する調光率を表わす調光信号を生成する。コントローラ８０１は、通信線を介して、複数の照明器具１００に対して、生成した調光信号を送信する。なお、コントローラ８０１は、すべての照明器具１００ａ〜１００ｆに対して同一の調光率を指示してもよいし、照明器具１００ごとに異なる調光率を指示してもよい。
コントローラ８０１が指示する調光率は、例えば、０％以上１００％以下の範囲内の任意の値を取り得る。あるいは、調光率は、例えば０％超２５％未満など所定の範囲を除く範囲内（すなわち、０％もしくは２５％以上１００％以下）の任意の値を取り得る構成であってもよい。あるいは、調光率は、例えば１０％刻みの飛び飛びの値のいずれかを取り得る構成であってもよい。
コントローラ８０１が送信する調光信号は、例えば、パルス幅によって調光率を指示するＰＷＭ信号である。あるいは、調光信号は、電圧値によって調光率を指示するＤＣ信号（直流電圧信号）である。あるいは、調光信号は、デジタル信号であり、直接的に調光率を示すデータを含む。調光信号は、指示対象である照明器具１００ａ〜１００ｆを指定するアドレス情報などの識別データを含む構成であってもよい。
【００１１】
照明器具１００は、制御部１１０と、点灯回路１２０と、光源１３０とを備える照明装置である。制御部１１０と点灯回路１２０とは、信号線を介して有線接続されている。制御部１１０と点灯回路１２０とを接続している信号線は、制御部１１０が送信する調光信号を、点灯回路１２０へ伝達する。点灯回路１２０は、信号線を介して、制御部１１０が送信した調光信号を受信する。なお、制御部１１０と点灯回路１２０とは、一体の構成であってもよいし、分離した構成であってもよい。
照明器具１００は、コントローラ８０１からの指示にしたがい、指示された調光率で、光源１３０を点灯する。照明器具１００は、コントローラ８０１が送信した調光信号（通信線のデータ）に応じて、光源１３０の点灯／消灯または調光を行う。
【００１２】
光源１３０は、点灯回路１２０から供給された電力により点灯する。光源１３０は、例えば、蛍光ランプ、ＬＥＤ、ＥＬなどである。
点灯回路１２０は、光源１３０を調光制御する。点灯回路１２０は、光源１３０の点灯・調光を制御する。点灯回路１２０は、商用電源などの電源８０８から供給される電力で動作し、光源１３０を点灯する電力を光源１３０に供給する。点灯回路１２０は、例えば、高周波交流回路、定電圧回路、定電流回路など光源１３０の種類に適した回路である。
【００１３】
制御部１１０は、コントローラ８０１が送信した調光信号を受信し、点灯回路１２０に対して調光率を指示する調光信号を生成する変換装置である。制御部１１０は、通信線を介して、コントローラ８０１と通信を行う。制御部１１０は、コントローラ８０１からの調光信号（調光率指示命令）により指示された調光率に対応する調光率を指示する調光信号を生成する。制御部１１０が生成する調光信号は、例えば、ＰＷＭ信号、ＤＣ信号、デジタル信号などである。制御部１１０が生成する調光信号の形式は、コントローラ８０１が生成する調光信号の形式と同一であってもよいし、異なっていてもよい。制御部１１０は、生成した調光信号を点灯回路１２０に対して送出する。
制御部１１０は、切替スイッチ１１１を備える。
【００１４】
切替スイッチ１１１は、コントローラ８０１からの調光信号が指示する調光率に対応する調光率の切替を行う。切替スイッチ１１１は、ツマミ１１２を備える。
ツマミ１１２は、２つの位置の間を移動可能な操作ツマミである。照明器具１００の利用者がツマミ１１２を操作することにより、ツマミ１１２の位置が、利用者が望む最大調光率を表わす。例えば、ツマミ１１２が一方の側に切り替えられているときは、最大調光率１００％を表わす。ツマミ１１２が他方の側に切り替えられているときは、最大調光率７０％を表わす。なお、それぞれのツマミ１１２の位置が表わす最大調光率は、他の値でもよい。また、それぞれのツマミ１１２の位置が表わす最大調光率を、任意に設定可能な構成としてもよい。
また、切替スイッチ１１１のツマミ１１２が移動可能な位置は、２つではなく、３つ以上であってもよい。その場合、それぞれの位置に対応して、１００％、７０％、５０％など、異なる最大調光率を設定する。
【００１５】
図２は、この実施の形態における制御部１１０の構成を示すブロック図である。
制御部１１０は、調光信号入力部１１３と、最大調光率入力部１１４と、調光率変換部１１５と、変換後調光信号生成部１１６とを有する。
調光信号入力部１１３は、例えば、通信装置である。調光信号入力部１１３は、通信線を介して、コントローラ８０１が送信した調光信号を受信する。
最大調光率入力部１１４は、例えば、上述した切替スイッチ１１１である。最大調光率入力部１１４は、利用者が指示する最大調光率（調光率の最大値）を入力する。
調光率変換部１１５は、例えば、演算回路である。調光率変換部１１５は、調光信号入力部１１３が受信した調光信号が表わす調光率と、最大調光率入力部１１４が入力した最大調光率とに基づいて、変換後調光率を算出する。以下、調光信号入力部１１３が受信した調光信号が表わす調光率を「変換前調光率」と呼ぶ。調光率変換部１１５が算出する変換後調光率は、変換前調光率に対応する調光率である。変換後調光率は、最大調光率入力部１１４が入力した最大調光率を超えない範囲内で、変換前調光率に応じて変化する。変換後調光率は、原則として、変換前調光率が高いほど、高くなる。
変換後調光信号生成部１１６は、調光率変換部１１５が算出した変換後調光率を点灯回路１２０に指示する調光信号を生成する。変換後調光信号生成部１１６が生成する調光信号は、例えばパルス幅変調（ＰＷＭ）により、点灯回路１２０に指示する調光率を表わす。
【００１６】
図３は、この実施の形態における照明制御システム８００の調光動作の一例を示すシーケンス図である。
例えば、照明器具１００ａの切替スイッチ１１１ａは、調光率１００％の側にツマミ１１２ａが切り替えられているとする。照明器具１００ｅの切替スイッチ１１１ｅは、調光率１００％の側にツマミ１１２ｅが切り替えられているとする。照明器具１００ｆの切替スイッチ１１１ｆは、調光率７０％の側にツマミ１１２ｆが切り替えられているとする。
ここで、コントローラ８０１が、すべての照明器具１００ａ〜１００ｆに対して、調光率１００％での点灯を指示する調光信号を生成し、送信したとする。
【００１７】
照明器具１００ａの制御部１１０ａでは、コントローラ８０１が送信した調光信号を、調光信号入力部１１３が受信する。最大調光率入力部１１４が入力した最大調光率が１００％なので、調光率変換部１１５は、調光信号入力部１１３が受信した調光信号が表わす変換前調光率１００％を、そのまま変換後調光率とする。変換後調光信号生成部１１６は、調光率変換部１１５が算出した変換後調光率１００％を点灯回路１２０ａに対して指示するＰＷＭ調光信号を生成する。点灯回路１２０ａは、制御部１１０ａが生成したＰＷＭ調光信号にしたがって、調光率１００％で光源１３０ａを点灯する。
同様に、照明器具１００ｅでは、点灯回路１２０ｅは、調光率１００％で光源１３０ｅを点灯する。
【００１８】
照明器具１００ｆの制御部１１０ｆでは、コントローラ８０１が送信した調光信号を、調光信号入力部１１３が受信する。最大調光率入力部１１４が入力した最大調光率が７０％なので、調光率変換部１１５は、調光信号入力部１１３が受信した調光信号が表わす変換前調光率１００％を、変換後調光率７０％に変換する。変換後調光信号生成部１１６は、調光率変換部１１５が算出した変換後調光率７０％を点灯回路１２０ｆに対して指示するＰＷＭ調光信号を生成する。点灯回路１２０ｆは、制御部１１０ｆが生成したＰＷＭ調光信号にしたがって、調光率７０％で光源１３０ｆを点灯する。
【００１９】
このように、照明器具１００ｆの制御部１１０ｆの切替スイッチ１１１ｆを切り替えることによって、コントローラ８０１から照明器具１００ａ〜１００ｆに対して同一の調光率を指示する調光信号が出力されても、照明器具１００ｆを他の照明器具１００ａ〜１００ｅと異なる調光率で点灯させることができる。
【００２０】
図４は、この実施の形態における調光率変換部１１５が変換する調光率の一例を示す図である。
横軸は、コントローラ８０１から調光信号入力部１１３が受信した調光信号が表わす変換前調光率を表わす。縦軸は、調光率変換部１１５が算出する変換後調光率を表わす。
実線７０１は、最大調光率入力部１１４が入力した最大調光率が１００％の場合を示す。実線７０２は、最大調光率入力部１１４が入力した最大調光率が７０％の場合を示す。
最大調光率が１００％の場合、調光率変換部１１５は、変換前調光率をそのまま変換後調光率とする。
最大調光率が７０％の場合、調光率変換部１１５は、変換前調光率が７０％未満であれば、変換前調光率をそのまま変換後調光率とする。調光率変換部１１５は、変換前調光率が７０％以上である場合、変換後調光率を７０％とする。すなわち、調光率変換部１１５は、変換前調光率と、最大調光率とのうち、小さいほうの値を、変換後調光率とする。
【数１１】
2012094277.tif 000003
ただし、ａｏｕｔは、変換後調光率を表わす０以上１以下の実数である。ｍｉｎは、引数のなかの最小値を選択することを表わす。ａｉｎは、変換前調光率を表わす０以上１以下の実数である。ａｍａｘは、最大調光率を表わす０以上１以下の実数である。
【００２１】
このように、切替スイッチ１１１の切り替えによって複数の最大調光率（１００％と７０％）を切り替えられるので、特定の照明器具１００だけを一時的に調光率を変更したいとき、コントローラ８０１の設定状態を変更することなく、調光率を容易に変更できる。
【００２２】
また、特定の照明器具１００に対して設定変更が容易にできるので、照明器具１００ａ〜１００ｆを設置後の使用環境に応じて、最大調光率を下げることにより、省エネを図ることができる。
【００２３】
実施の形態２．
実施の形態２について、図５を用いて説明する。
なお、実施の形態１と共通する部分については、同一の符号を付し、説明を省略する。
【００２４】
図５は、この実施の形態における調光率変換部１１５が変換する調光率の一例を示す図である。
横軸は、コントローラ８０１から調光信号入力部１１３が受信した調光信号が表わす変換前調光率を表わす。縦軸は、調光率変換部１１５が算出する変換後調光率を表わす。
実線７０１は、最大調光率入力部１１４が入力した最大調光率が１００％の場合を示す。実線７０２は、最大調光率入力部１１４が入力した最大調光率が７０％の場合を示す。
最大調光率が１００％の場合、調光率変換部１１５は、実施の形態１と同様、変換前調光率をそのまま変換後調光率とする。
最大調光率が７０％の場合、調光率変換部１１５は、変換後調光率が変換前調光率に比例し、変換前調光率が１００％のとき、変換後調光率が７０％になるように、変換後調光率を算出する。すなわち、調光率変換部１１５は、変換前調光率と最大調光率との積を算出して、変換後調光率とする。
【数１２】
2012094277.tif 000004
【００２５】
このように、切替スイッチ１１１の設定状態に応じて、制御部１１０が演算をして、コントローラ８０１から指示された調光率に比例する調光率で光源１３０を点灯するので、全体的に調光率を低減させることができる。
すなわち、実施の形態１の照明制御システム８００は、コントローラ８０１が指示した調光率が最大調光率より大きい場合、光源１３０の明るさが変わらないのに対し、この実施の形態の照明制御システム８００は、コントローラ８０１が指示した調光率が変化すると、光源１３０の明るさも変化する。このため、利用者が違和感を感じるのを防ぐことができる。
【００２６】
このように、切替スイッチ１１１の切り替えによって複数の最大調光率（１００％と７０％）を切り替えられるので、特定の照明器具１００だけを一時的に調光率を変更したいとき、コントローラ８０１の設定状態を変更することなく、調光率を容易に変更できる。
【００２７】
また、特定の照明器具１００に対して設定変更が容易にできるので、照明器具１００ａ〜１００ｆを設置後の使用環境に応じて、最大調光率を下げることにより、省エネを図ることができる。
【００２８】
実施の形態３．
実施の形態３について、図６〜図８を用いて説明する。
なお、実施の形態１〜実施の形態２と共通する部分については、同一の符号を付し、説明を省略する。
【００２９】
図６は、この実施の形態における照明制御システム８００を示すブロック図である。
制御部１１０は、切替スイッチ１１１に代えて、設定ボリューム１１７を有する。
設定ボリューム１１７は、コントローラ８０１からの調光信号が指示する調光率に対応する調光率の切替を行う。設定ボリューム１１７は、ツマミ１１８を備える。
ツマミ１１８は、所定の範囲内で回転可能な操作ツマミである。照明器具１００の利用者がツマミ１１８を操作することにより、ツマミ１１８の角度が、利用者が望む最大調光率を表わす。例えば、ツマミ１１８が一方の側に一杯まで回されているときは、最大調光率１００％を表わす。ツマミ１１８が他方の側に一杯まで回されているときは、最大調光率０％を表わす。ツマミ１１８が、それ以外の中間の位置にあるときは、ツマミ１１８の角度に応じて、０％超１００％未満の最大調光率を表わす。
【００３０】
最大調光率入力部１１４は、例えば、設定ボリューム１１７である。最大調光率入力部１１４は、利用者が指示する最大調光率（調光率の最大値）を入力する。
【００３１】
図７は、この実施の形態における照明制御システム８００の調光動作の一例を示すシーケンス図である。
例えば、照明器具１００ａの設定ボリューム１１７ａは、調光率５０％の角度にツマミ１１８ａがあるとする。照明器具１００ｅの設定ボリューム１１７ｅは、調光率７０％の角度にツマミ１１８ｅがあるとする。照明器具１００ｆの設定ボリューム１１７ｆは、調光率１００％の角度にツマミ１１８ｆがあるとする。
ここで、コントローラ８０１が、すべての照明器具１００ａ〜１００ｆに対して、調光率１００％での点灯を指示する調光信号を生成し、送信したとする。
【００３２】
照明器具１００ａの制御部１１０ａでは、コントローラ８０１が送信した調光信号を、調光信号入力部１１３が受信する。最大調光率入力部１１４が入力した最大調光率が５０％なので、調光率変換部１１５は、調光信号入力部１１３が受信した調光信号が表わす変換前調光率１００％を、変換後調光率５０％に変換する。変換後調光信号生成部１１６は、調光率変換部１１５が算出した変換後調光率５０％を点灯回路１２０ａに対して指示するＰＷＭ調光信号を生成する。点灯回路１２０ａは、制御部１１０ａが生成したＰＷＭ調光信号にしたがって、調光率５０％で光源１３０ａを点灯する。
【００３３】
照明器具１００ｅの制御部１１０ｅでは、コントローラ８０１が送信した調光信号を、調光信号入力部１１３が受信する。最大調光率入力部１１４が入力した最大調光率が７０％なので、調光率変換部１１５は、調光信号入力部１１３が受信した調光信号が表わす変換前調光率１００％を、変換後調光率７０％に変換する。変換後調光信号生成部１１６は、調光率変換部１１５が算出した変換後調光率７０％を点灯回路１２０ｅに対して指示するＰＷＭ調光信号を生成する。点灯回路１２０ｅは、制御部１１０ｅが生成したＰＷＭ調光信号にしたがって、調光率７０％で光源１３０ｅを点灯する。
【００３４】
照明器具１００ｆの制御部１１０ｆでは、コントローラ８０１が送信した調光信号を、調光信号入力部１１３が受信する。最大調光率入力部１１４が入力した最大調光率が１００％なので、調光率変換部１１５は、調光信号入力部１１３が受信した調光信号が表わす変換前調光率１００％を、そのまま変換後調光率とする。変換後調光信号生成部１１６は、調光率変換部１１５が算出した変換後調光率１００％を点灯回路１２０ｆに対して指示するＰＷＭ調光信号を生成する。点灯回路１２０ｆは、制御部１１０ｆが生成したＰＷＭ調光信号にしたがって、調光率１００％で光源１３０ｆを点灯する。
【００３５】
このように、照明器具１００ａ，１００ｅの制御部１１０ａ，１１０ｅの設定ボリューム１１７ａ，１１７ｅを切り替えることによって、コントローラ８０１から照明器具１００ａ〜１００ｆに対して同一の調光率を指示する調光信号が出力されても、照明器具１００ａ，２００ｅを他の照明器具１００ｂ〜１００ｄ，１００ｆと異なる調光率で点灯させることができる。
【００３６】
図８は、この実施の形態における調光率変換部１１５が変換する調光率の一例を示す図である。
横軸は、コントローラ８０１から調光信号入力部１１３が受信した調光信号が表わす変換前調光率を表わす。縦軸は、調光率変換部１１５が算出する変換後調光率を表わす。
実線７０１は、最大調光率入力部１１４が入力した最大調光率が１００％の場合を示す。実線７０３は、調光率変換部１１５が入力した最大調光率がａｍａｘの場合を示す。
調光率変換部１１５は、変換前調光率が最大調光率未満である場合、変換前調光率をそのまま変換後調光率とする。調光率変換部１１５は、変換前調光率が最大調光率以上である場合、変換後調光率を最大調光率とする。すなわち、調光率変換部１１５は、変換前調光率と、最大調光率とのうち、小さいほうの値を、変換後調光率とする。
【数１３】
2012094277.tif 000005
【００３７】
このように、設定ボリューム１１７の切り替えによって任意の最大調光率を設定できるので、特定の照明器具１００だけを一時的に調光率を変更したいとき、コントローラ８０１の設定状態を変更することなく、調光率を容易に変更できる。
【００３８】
また、特定の照明器具１００に対して設定変更が容易にできるので、照明器具１００ａ〜１００ｆを設置後の使用環境に応じて、最大調光率を下げることにより、省エネを図ることができる。
【００３９】
実施の形態４．
実施の形態４について、図９を用いて説明する。
なお、実施の形態１〜実施の形態３と共通する部分については、同一の符号を付し、説明を省略する。
この実施の形態における照明制御システム８００の構成は、実施の形態３と同様である。すなわち、制御部１１０は、設定ボリューム１１７を有する。
【００４０】
図９は、この実施の形態における調光率変換部１１５が変換する調光率の一例を示す図である。
横軸は、コントローラ８０１から調光信号入力部１１３が受信した調光信号が表わす変換前調光率を表わす。縦軸は、調光率変換部１１５が算出する変換後調光率を表わす。
実線７０１は、最大調光率入力部１１４が入力した最大調光率が１００％の場合を示す。実線７０３は、最大調光率入力部１１４が入力した最大調光率がａｍａｘの場合を示す。
調光率変換部１１５は、変換後調光率が変換前調光率に比例し、変換前調光率が１００％のとき、変換後調光率が最大調光率になるように、変換後調光率を算出する。すなわち、調光率変換部１１５は、変換前調光率と最大調光率との積を算出して、変換後調光率とする。
【数１４】
2012094277.tif 000006
【００４１】
このように、設定ボリューム１１７の設定状態に応じて、制御部１１０が演算をして、コントローラ８０１から指示された調光率に比例する調光率で光源１３０を点灯するので、全体的に調光率を低減させることができる。このため、利用者が違和感を感じるのを防ぐことができる。
【００４２】
このように、設定ボリューム１１７の切り替えによって任意の最大調光率を設定できるので、特定の照明器具１００だけを一時的に調光率を変更したいとき、コントローラ８０１の設定状態を変更することなく、調光率を容易に変更できる。
【００４３】
また、特定の照明器具１００に対して設定変更が容易にできるので、照明器具１００ａ〜１００ｆを設置後の使用環境に応じて、最大調光率を下げることにより、省エネを図ることができる。
【００４４】
実施の形態５．
実施の形態５について、図１０を用いて説明する。
なお、実施の形態１〜実施の形態４と共通する部分については、同一の符号を付し、説明を省略する。
この実施の形態における照明制御システム８００の構成は、実施の形態３及び実施の形態４と同様である。すなわち、制御部１１０は、設定ボリューム１１７を有する。
【００４５】
図１０は、この実施の形態における調光率変換部１１５が変換する調光率の一例を示す図である。
横軸は、コントローラ８０１から調光信号入力部１１３が受信した調光信号が表わす変換前調光率を表わす。縦軸は、調光率変換部１１５が算出する変換後調光率を表わす。
実線７０１は、最大調光率入力部１１４が入力した最大調光率が１００％の場合を示す。実線７０３は、最大調光率入力部１１４が入力した最大調光率がａｍａｘの場合を示す。
調光率変換部１１５は、変換前調光率が０％のとき、変換後調光率も０％になり、変換前調光率が１００％のとき、変換後調光率が最大調光率になるように、変換後調光率を算出する。変換前調光率と変換後調光率との間には、変換前調光率が大きくなるほど変換後調光率が大きくなるという単調増加関係がある。また、変換前調光率が０％付近のとき、変換前調光率の増分に対する変換後調光率の増分の比は、ほぼ１であり、変換前調光率が大きくなるほど、変換前調光率の増分に対する変換後調光率の増分の比が小さくなる。例えば、調光率変換部１１５は、次の式の右辺を計算することにより、変換後調光率を算出する。
【数１５】
2012094277.tif 000007
【００４６】
このように、設定ボリューム１１７の設定状態に応じて、制御部１１０が演算をして、コントローラ８０１から指示された調光率に応じた調光率で光源１３０を点灯するので、全体的に調光率を低減させることができる。このため、利用者が違和感を感じるのを防ぐことができる。
また、変換前調光率が０％付近のとき、変換前調光率の増分に対する変換後調光率の増分の比は、ほぼ１なので、コントローラ８０１から指示された変換前調光率が小さい場合、変換後調光率は、変換前調光率とほぼ同じになる。このため、最大調光率を絞った場合でも、コントローラ８０１から指示された変換前調光率が小さいとき、変換後調光率が小さくなり過ぎるのを防ぐことができる。
【００４７】
このように、設定ボリューム１１７の切り替えによって任意の最大調光率を設定できるので、特定の照明器具１００だけを一時的に調光率を変更したいとき、コントローラ８０１の設定状態を変更することなく、調光率を容易に変更できる。
【００４８】
また、特定の照明器具１００に対して設定変更が容易にできるので、照明器具１００ａ〜１００ｆを設置後の使用環境に応じて、最大調光率を下げることにより、省エネを図ることができる。
【００４９】
実施の形態６．
実施の形態６について、図１１〜図１２を用いて説明する。
なお、実施の形態１〜実施の形態５と共通する部分については、同一の符号を付し、説明を省略する。
【００５０】
図１１は、この実施の形態における照明制御システム８００を示すブロック図である。
制御部１１０は、切替スイッチ１１１と、設定ボリューム１１７との両方を有する。
切替スイッチ１１１は、調光モードの切替を行う。切替スイッチ１１１は、ツマミ１１２を備える。
ツマミ１１２は、２つの位置の間を移動可能な操作ツマミである。照明器具１００の利用者がツマミ１１２を操作することにより、ツマミ１１２の位置が、調光モードを表わす。例えば、ツマミ１１２が一方の側に切り替えられているときは、連続調光モードを表わす。ツマミ１１２が他方の側に切り替えられているときは、固定調光モードを表わす。
【００５１】
固定調光モードは、コントローラ８０１から指示された変換前調光率が０％でない場合、変換前調光率にかかわらず、設定ボリューム１１７により設定された最大調光率を、そのまま変換後調光率とするモードである。コントローラ８０１から指示された変換前調光率が０％の場合は、変換後調光率も０％にする。
連続調光モードは、コントローラ８０１から指示された変換前調光率と、設定ボリューム１１７により設定された最大調光率とに基づいて、変換後調光率を算出するモードである。連続調光モードにおける変換後調光率の算出方式は、例えば、実施の形態３〜実施の形態５で説明した方式である。
【００５２】
なお、切替スイッチ１１１のツマミ１１２が移動可能な位置は、２つではなく、３つ以上であってもよい。例えば、３つ以上の位置の１つの位置が固定調光モードを表わし、それ以外が連続調光モードを表わす。連続調光モードを表わす複数の位置は、それぞれ、異なる変換後調光率の算出方式を表わす。
あるいは、２つの位置が固定調光モードを表わし、それ以外が連続調光モードを表わす構成であってもよい。２つの固定調光モードの違いは、例えば、コントローラ８０１から指示された変換前調光率が０％のとき、光源１３０を消灯するか否かである。
あるいは、すべての位置が連続調光モードを表わす構成であってもよい。
【００５３】
最大調光率入力部１１４は、例えば、切替スイッチ１１１及び設定ボリューム１１７である。最大調光率入力部１１４は、利用者が指示する最大調光率（調光率の最大値）と、調光モードとを入力する。
【００５４】
調光率変換部１１５は、最大調光率入力部１１４が入力した調光モードが固定調光モードであり、コントローラ８０１から調光信号入力部１１３が受信した変換前調光率が０％でない場合、最大調光率入力部１１４が入力した最大調光率を、そのまま変換後調光率とする。調光モードが固定調光モードであるが、変換前調光率が０％である場合、調光率変換部１１５は、変換後調光率を０％にする。
【数１６】
2012094277.tif 000008
【００５５】
調光率変換部１１５は、最大調光率入力部１１４が入力した調光モードが連続調光モードである場合、コントローラ８０１から調光信号入力部１１３が受信した変換前調光率と、最大調光率入力部１１４が入力した最大調光率とに基づいて、変換後調光率を算出する。
【００５６】
図１２は、この実施の形態における調光率変換部１１５が変換する調光率の一例を示す図である。
横軸は、コントローラ８０１から調光信号入力部１１３が受信した調光信号が表わす変換前調光率を表わす。縦軸は、調光率変換部１１５が算出する変換後調光率を表わす。
実線７０３は、最大調光率入力部１１４が入力した調光モードが連続調光モードである場合を示す。実線７０４は、最大調光率入力部１１４が入力した調光モードが固定調光モードである場合を示す。いずれの場合も、調光率変換部１１５が入力した最大調光率は、ａｍａｘである。
【００５７】
連続調光モードの場合、調光率変換部１１５は、変換後調光率が変換前調光率に比例し、変換前調光率が１００％のとき、変換後調光率が最大調光率になるように、変換後調光率を算出する。すなわち、調光率変換部１１５は、変換前調光率と最大調光率との積を算出して、変換後調光率とする。
固定調光モードの場合、調光率変換部１１５は、変換前調光率が０％でなければ、最大調光率をそのまま変換後調光率とする。変換前調光率が０％の場合、調光率変換部１１５は、変換後調光率を０％にする。
【００５８】
このように、切替スイッチ１１１の切り替えによって固定調光モードと連続調光モードとを切り替えることができるので、特定の照明器具１００に対して、連続調光機能をオフにすることができ、任意の明るさで点灯させるよう、利用者が調光率を容易に設定することができる。
【００５９】
また、特定の照明器具１００に対して設定変更が容易にできるので、照明器具１００ａ〜１００ｆを設置後の使用環境に応じて、最大調光率を下げることにより、省エネを図ることができる。
【符号の説明】
【００６０】
１００  照明器具、１１０  制御部、１１１  切替スイッチ、１１２，１１８  ツマミ、１１３  調光信号入力部、１１４  最大調光率入力部、１１５  調光率変換部、１１６  変換後調光信号生成部、１１７  設定ボリューム、１２０  点灯回路、１３０  光源、７０１〜７０４  実線、８００  照明制御システム、８０１  コントローラ、８０８  電源。
【図１】
2012094277.tif 000009
【図２】
2012094277.tif 000010
【図３】
2012094277.tif 000011
【図４】
2012094277.tif 000012
【図５】
2012094277.tif 000013
【図６】
2012094277.tif 000014
【図７】
2012094277.tif 000015
【図８】
2012094277.tif 000016
【図９】
2012094277.tif 000017
【図１０】
2012094277.tif 000018
【図１１】
2012094277.tif 000019
【図１２】
2012094277.tif 000020